(57)【要約】【課題】本発明は、竪樋に竪樋支持具を面一に取り付け建物の外壁に簡便に固定させることが出来る竪樋支持構造を提供する。【解決手段】上側竪樋２１ａと、該上側竪樋２１ａと同径の下側竪樋２１ｂと、端部が両竪樋２１ａ、２１ｂに内嵌され該両竪樋２１ａ、２１ｂを所定の間隙２５を設けて接続する接続ソケット２２と、所定の間隙２５に嵌着され、嵌着された際に上側及び下側竪樋２１ａ、２１ｂの外周面と略面一となる厚み寸法を有する保持部２７を有する竪樋支持具２３とを備えたことを特徴とする。【選択図】図１
2011202482.tif 000002
【特許請求の範囲】
【請求項１】
上側竪樋と、
該上側竪樋と同径の下側竪樋と、
端部が両竪樋に内嵌され該両竪樋を所定の間隙を設けて接続する接続ソケットと、
前記所定の間隙に嵌着され、嵌着された際に前記上側及び下側竪樋の外周面と略面一となる厚み寸法を有する保持部を有する竪樋支持具とを備えたことを特徴とする竪樋支持構造。
【発明の詳細な説明】
【技術分野】
【０００１】
本発明は、竪樋を建物に取り付ける際の竪樋支持構造に関するものである。
【背景技術】
【０００２】
一般に、雨水を排水するための竪樋は、竪樋支持具を用いて建物の壁面等に沿って設置されている。この場合に用いる竪樋支持具としては、竪樋の外周面に嵌着して該竪樋を保持する保持部と、該保持部から側方へ突出して建物の外壁等に固定される支脚とを備えたものが一般的である。
【０００３】
しかしながら、上記の竪樋支持具を用いて竪樋を支持する構造においては、竪樋の外周面から保持部が突出することになるため、該保持部の存在によって外観上に難点が生ずるとともに、竪樋と保持部の上面との間に塵埃類が溜まりやすくなるという問題がある。
そこで、従来上記の問題の改善を図った竪樋支持構造として、下記特許文献１に示すものが提案されている。
【０００４】
図７は、特許文献１に開示された竪樋支持構造を示すものであり、この図に示す竪樋支持構造１は、竪樋２の外周面に上下方向に向けてガイドレール３を形成し、このガイドレール３に竪樋支持具４を固定するとともに該竪樋支持具４を建物の外壁５に固定したものである。
竪樋２は、上位の竪樋２ａと下位の竪樋２ｂとを連結したものであり、上位の竪樋２ａの下端部を細く形成して下位の竪樋２ｂ内に嵌着してある。この場合、上位の竪樋２ａの細く形成した下端部からはガイドレール３を除去してある。
【０００５】
ガイドレール３は、先端に係合壁６を有する一対の立上り壁７、７からなるものである。
竪樋支持具４は、ガイドレール３内に嵌着される当て板８と、この当て板８に固定ボルト９、９により固定される連結板１０と、この連結板１０の貫通孔１１内に挿通される支持ボルト１２と、この支持ボルト１２に緊締される固定ナット１３、１３、アンカー１４とを備えてなるものである。
【０００６】
この竪樋支持構造１においては、竪樋支持具４をガイドレール３に固定するとともに該竪樋支持具４のアンカー１４を建物の外壁５に固定することによって竪樋２を支持する。
この竪樋支持構造１は、竪樋支持具４を竪樋２の外周面に嵌着する構造でないため、竪樋２の外周面からの突出部分を周方向の一部に限定することができる。
【先行技術文献】
【特許文献】
【０００７】
【特許文献１】特開２００８−８２１０５号公報
【発明の概要】
【発明が解決しようとする課題】
【０００８】
しかし、上記の竪樋支持構造１によると、竪樋２の周方向全域に突出部分を形成しないで済むが、ガイドレール３が竪樋２の上端から下端の全域に亘って形成されているため、竪樋２の表面が面一とはならず、ガイドレール３の存在によって美観の問題は解決されず、かつ、この構造においてもガイドレール３付近に塵埃類が溜まりやすくなるという問題があった。
【０００９】
また、竪樋支持具４が多数の部品により構成されているため、該竪樋支持具４の取り付け作業が煩雑で、竪樋２の設置作業に時間がかかるという問題があった。
【００１０】
また、竪樋２ａと竪樋２ｂとを連結するために、竪樋２ａの下端部を細く形成するとともに該下端部からガイドレール３を切除しなければならず、竪樋２ａの作製作業の工程が増えて竪樋支持構造１全体が高価となるという問題があった。
【課題を解決するための手段】
【００１１】
本発明は、上記課題に対して、以下の解決手段を提供している。
請求項１に記載の竪樋支持構造は、上側竪樋と、該上側竪樋と同径の下側竪樋と、端部が両竪樋に内嵌され該両竪樋を所定の間隙を設けて接続する接続ソケットと、前記所定の間隙に嵌着され、嵌着された際に前記上側及び下側竪樋の外周面と略面一となる厚み寸法を有する保持部を有する竪樋支持具とを備えたことを特徴とする。
【発明の効果】
【００１２】
請求項１の竪樋支持構造によると、竪樋の表面が面一となるため、竪樋の外観を美麗に保つことができるとともに竪樋の周囲に塵埃類が溜まるのを回避することができるという効果が得られる。
【００１３】
また、竪樋支持構造がシンプルであるため、竪樋の建物への設置が容易であるという効果が得られる。
【００１４】
また、上側竪樋と下側竪樋の内面に接続ソケットを嵌着する構成とされているため、上側竪樋及び下側竪樋を特殊な形状に成形する必要が無く、したがって竪樋の製造が容易で支持構造全体を安価に提供することができるという効果が得られる。
【図面の簡単な説明】
【００１５】
【図１】は、本発明の第１の実施形態として示した竪樋支持構造の断面図である。
【図２】は、本発明の第１の実施形態として示した竪樋支持構造の接続ソケットを示す斜視図である。
【図３】は、本発明の第１の実施形態として示した竪樋支持構造の竪樋支持具を示す斜視図である。
【図４】は、本発明の変形例として示した竪樋支持構造の断面図である。
【図５】は、本発明の変形例として示した竪樋支持構造の接続ソケットを示す斜視図である。
【図６】は、本発明の変形例として示した竪樋支持構造の竪樋支持具の一部を示す斜視図である。
【図７】は、従来の竪樋支持構造を示す斜視図である。
【発明を実施するための形態】
【００１６】
以下、図を参照して本発明の実施形態について説明する。
図１は、本発明の第１の実施形態である竪樋支持構造２０Ａを示している。
この図に示すように、竪樋支持構造２０Ａは、互いに連結された竪樋２１の上側竪樋２１ａと下側竪樋２１ｂとを接続ソケット２２を用いて連結し、かつ、接続ソケット２２に竪樋支持具２３の一端を装着し、他端を建物の外壁２４に固定する構造である。
【００１７】
上側竪樋２１ａ、下側竪樋２１ｂは、それぞれ一定の長さを有する同径の管であり、建物の外壁２４に沿って鉛直方向に配置され、上側竪樋２１ａ、下側竪樋２１ｂ間に所定の間隙２５を設けた上で、接続ソケット２２により連結されている。
【００１８】
接続ソケット２２は、図１及び図２に示すように、その外径が上側竪樋２１ａ、下側竪樋２１ｂの内径より極僅か小径とされた管であり、上側竪樋２１ａ、下側竪樋２１ｂ内に嵌着できるものである。この接続ソケット２２の上下方向中央部には周方向に嵌合溝２６が形成されている。この嵌合溝２６の幅寸法は、前記間隙２５の幅寸法と同一である。
【００１９】
この接続ソケット２２は、その上下両端部が上側竪樋２１ａ、下側竪樋２１ｂの内部間に亘って配置され、嵌合溝２６を間隙２５に合致させた上で、その上下部分が上側竪樋２１ａ、下側竪樋２１ｂの各面内に嵌着され、接着剤により固定されている。
【００２０】
なお、上側及び下側竪樋２１ａ、２１ｂ及び接続ソケット２２は、塩化ビニル樹脂等の合成樹脂により形成されたものである。
【００２１】
図１及び図３に示すように竪樋支持具２３は、環状の保持部２７と、この保持部２７から側方へ突出する支脚２８とを備えてなるものである。
保持部２７は、固定片３０と、この固定片３０に一端が回動可能に支持され、他端が固定片３０の他端に係止される可動片３１とから構成されている。
【００２２】
固定片３０は、円弧状に湾曲するように形成されたものであり、一端にヒンジ部３２が形成され、他端に係止爪部３３が形成されている。また可動片３１は、固定片３０と同様に円弧状に湾曲するように形成されたものであり、一端にヒンジ受部３４が形成されており、他端に爪受部３５が形成されている。
【００２３】
固定片３０と可動片３１とは、互いにヒンジ部３２、ヒンジ受部３４がピン３６により回動自在に連結されており、係止爪部３３が爪受部３５に係合可能となっている。
このヒンジ部３２、ヒンジ受部３４及び係合爪部３３、爪受部３５は、建物の外壁２４側に位置するように、支脚２８の近傍に形成されている。
支脚２８は、固定片３０から側方へ突出するように形成されたものであり、円柱状部３７と尖鋭な先端部３８とからなっている。
【００２４】
この竪樋支持具２３の保持部２７は、上側竪樋２１ａと下側竪樋２１ｂとの間の間隙２５及び接続ソケット２２の嵌合溝２６内に嵌着される。この嵌着に際しては、固定片３０に対して可動片３１を拡開し、固定片３０を間隙２５、嵌合溝２６内に嵌着し、その後可動片３０を閉じて間隙２５、嵌合溝２６内に嵌着するとともに係合爪部３３を爪受部３５に係合させる。
【００２５】
この場合、固定片３０、可動片３１の幅寸法は、嵌合溝２６及び間隙２５の幅寸法と略同一となるように設定されており、また、厚み寸法は、竪樋２１の厚みと嵌合溝２６の深さ寸法とにより形成される溝の深さ寸法に合致するように設定され、固定片３０、可動片３１の外面が上側竪樋２１ａ、下側竪樋２１ｂの外周面と面一状態となっている。
なお、この竪樋支持具２３は、金属材料により形成されたものである。
【００２６】
次に、上記の竪樋支持構造２０Ａの施工方法について説明する。
まず、接続ソケット２２の両端部の上下外周面に接着剤を塗布し、その上部を図２に示すように鉛直方向に配置された上側竪樋２１ａの下端部内方に挿入するとともに、その下部を上側竪樋２１ａの下方に配置された下側竪樋２１ｂの上端部内方に挿入する。
この際、上側竪樋２１ａと下側竪樋２１ｂとの間に間隙２５を形成するとともに、接続ソケット２２の嵌合溝２６を間隙２５に合致させる。
【００２７】
一方、図１及び図３に示すように、竪樋支持具２３の支脚２８を建物の外壁２４に打ち込んでこの竪樋支持具２３を建物の外壁２４に固定しておく。そして、保持部２７の可動片３１をピン３６を中心に回動して拡開し、固定片３０及び可動片３１を上側及び下側竪樋２１ａ、２１ｂ間に形成された間隙２５及び接続ソケット２２の嵌合溝２６内に嵌着し、係止爪部３３を爪受部３５に係合させる。この工事により竪樋支持構造２０Ａは完成する。
【００２８】
上記の竪樋支持構造２０Ａによれば、上側竪樋２１ａと下側竪樋２１ｂの連結部に間隙２５及び嵌合溝２６を形成し、これら間隙２５及び嵌合溝２６内に竪樋支持具２３の保持部２７を嵌着する構成であるから、上側及び下側竪樋２１ａ、２１ｂの表面と保持部２７の表面を面一状態とし、上側及び下側竪樋２１ａ、２１ｂの支持部分を外観美麗に保つことができるとともに当該部分に塵埃類が溜まる問題を解決することができる。
【００２９】
また、竪樋支持構造２０Ａは、竪樋支持具２３の保持部２７が、接続ソケット２２において周方向に窪んだ嵌合溝２６に嵌着するとともに、該保持部２７に上側竪樋２１ａと下側竪樋２１ｂの両端縁が当接し、この状態で支脚２３が外壁２４に固定されるという構成とされているため、該支持構造２０Ａによると、接続ソケット２２と上側及び下側竪樋２１ａ、２１ｂとの相対的な位置が固定され、接続ソケット２２による上側竪樋２１ａと下側竪樋２１ｂとの接続が確実かつ強固となり、該接続状態が維持されるという効果が得られる。
【００３０】
また、竪樋支持構造２０Ａがシンプルであるため、竪樋２１の建物の外壁２４への設置が容易であるという効果が得られる。
【００３１】
また、上側竪樋２１ａと下側竪樋２１ｂの内面に接続ソケット２２を嵌着する構成とされているため、上側竪樋２１ａ及び下側竪樋２１ｂを特殊な形状に成形する必要が無く、かつ、接続ソケット２２の形状もシンプルであるため、竪樋支持構造２０Ａを構成する竪樋２１及び接続ソケット２２の製造が容易であり、竪樋支持構造２０Ａ全体を安価に提供することができるという効果が得られる。
【００３２】
また更に、竪樋支持構造２０Ａによると、上述した図３に示すような、従来から使用されている竪樋支持具２３を用いることが可能である。
【００３３】
上記の実施形態においては、本発明の竪樋支持構造２０Ａを断面円形の竪樋に適用した例について説明したが、本発明の竪樋支持構造は、接続ソケット２２及び竪樋支持具２３の保持部２７の断面形状を竪樋と同様の断面形状に形成し、その他の構成を上記実施形態と同様に設定することにより、断面形状が四角形、多角形、その他の断面形状を有する竪樋にも適用することができる。
【００３４】
次に、本発明の変形例について図４から図６を用いて説明する。図４から図６において、図１と同一の構成については同一符号を付し、その説明を省略する。
図４に示すように、この実施形態による竪樋支持構造２０Ｂにおいては、接続ソケット４０に、竪樋支持具４１の保持部４２が一体的に形成されており、該保持部４２に支脚４３を嵌合可能な構成とされている。
【００３５】
保持部４２は、図５に示すように接続ソケット４０に一体的に形成されることにより、その上下面が段部４４、４４となっている。
【００３６】
この保持部４２は、側方へ突出する嵌合突部４５を備えており、この嵌合突部４５に支脚４３が嵌合可能な構成とされている。
【００３７】
嵌合突部４５は円柱状に形成された壁部であり、その軸線方向に穴部４６を備えている。穴部４６は、図４に示すように先端が開口する小径部４７と、この小径部４７に連続する大径部４８とからなっており、大径部４８の端面は段部４９とされている。
【００３８】
支脚４３は、図６に示すように頭部５０を有する円柱状の嵌合部５１と、この嵌合部５１に連設された尖鋭な端部５２と、これら嵌合部５１、端部５２間に形成されたフランジ部５３とを備えている。
【００３９】
頭部５０は、先端に向かうに従い漸次径が小となるテーパ形状とされ、基端部が段部５４とされている。
【００４０】
嵌合部５１には、頭部５０を含む領域に切欠５５、５５・・が形成されており、頭部５０を構成する壁部５０ａから５０ｄは互いに接近する方向に弾性変形可能とされている。
【００４１】
この竪樋支持構造２０Ｂを施工するには、図４に示すように保持部４２が一体成形された接続ソケット４０の上下端部を上側及び下側竪樋２１ａ、２１ｂの下端部、上端部に挿入してこれら上側及び下側竪樋２１ａ、２１ｂを連結する。この際、上側及び下側竪樋２１ａ、２１ｂは、環状壁部４２の上下の段部４４、４４に当接することで容易に間隙２５を確保することができる。
【００４２】
一方、支脚４３の端部５２を建物の外壁２４に打ち込み、この支脚４３を固定しておく。
この固定に際しては、図６に示すように支脚４３の嵌合部５１にキャップ６０を被せ、このキャップ６０を介してフランジ部５３を叩打することにより端部５２を外壁２４に打ち込む。
【００４３】
その後、キャップ６０を取り外して、支脚４３の頭部５０を保持部４２の嵌合突部４５に嵌入させる。この際、支脚４３の頭部５０は、嵌合突部４５の小径部４７に進入するに従って、頭部５０の壁部５０ａから５０ｄが互いに接近する方向に弾性変形し、頭部５０が大径部４８に嵌入し終えた際に弾性復帰して、頭部５０の段部５４が大径部４８と小径部４７との境に形成された段部４９に係合して抜出不能となる。
このようにして、竪樋２１は、建物の外壁２４に確実に支持される。
【００４４】
上記の竪樋支持構造２０Ｂによると、竪樋支持構造２０Ａと同様に竪樋２１の表面を面一にすることが出来ることによる効果が得られるとともに、接続ソケット４０と竪樋支持具４１の保持部４２とが一体的に形成されており、保持部４２の上下面が段部４４を形成しているので、該段部４４が上側竪樋２１ａと下側竪樋２１ｂに接続ソケット４０を挿通する際の規制壁部となり、上側竪樋２１ａ及び下側竪樋２１ｂの間に所定の間隙２５を簡便に形成して嵌着することができるという効果を奏する。
また、竪樋支持構造２０Ｂのための部品点数を抑えることができ、竪樋の支持構造２０Ｂ全体を更に安価に提供することができるという効果が得られる。
【００４５】
また、支脚４３が保持部４２から分離しており、支脚４３を建物の外壁２４に取り付けた後で保持部４２に装着することが出来るため竪樋２１の支持における作業性が向上し、竪樋２１の建物への設置が容易となるという効果が得られる。
【００４６】
また更に、フランジ部５３を、支脚４３を建物の外壁２４に挿入させる深さ位置に形成しておくと、フランジ部５３が支脚４３の建物２３への挿入規制壁となって、過度な挿入を防止し、竪樋支持具４１が建物の外壁２４から一定の長さで突出するように容易に打ち付けることが可能となるとともに、竪樋２１の支持後は、支脚４３が上下又は左右にぐらつくのを抑えることができる。
【００４７】
上記変形例においても、本発明の竪樋支持構造２０Ａにおいて説明したのと同様に、接続ソケット４０及び竪樋支持具４１の環状壁部４２の断面形状を竪樋２１と同様の断面形状に形成し、その他の構成を上記変形例と同様に設定することにより、断面形状が四角形、多角形、その他の断面形状を有する竪樋２１にも適用することができる。
【符号の説明】
【００４８】
２０Ａ、２０Ｂ  竪樋支持構造
２１    竪樋
２１ａ  上側竪樋
２１ｂ  下側竪樋
２２    接続ソケット
２３    竪樋支持具
２４    建物の外壁
２５    所定の間隙
２７    保持部
２８    支脚
４０    接続ソケット
４３    支脚
４５    嵌合突部
【図１】
2011202482.tif 000003
【図２】
2011202482.tif 000004
【図３】
2011202482.tif 000005
【図４】
2011202482.tif 000006
【図５】
2011202482.tif 000007
【図６】
2011202482.tif 000008
【図７】
2011202482.tif 000009